(57)【特許請求の範囲】
【請求項１】
側面が略矩形形状のバツテリケースが装着されるバツテリ装着部の略Ｌ字形状をなす底面と奥部の面とのうち当該奥部の面に設けられた複数のピン状の端子を保護する、上記バツテリ装着部の端子保護装置であつて、
各上記端子の近傍で上記バツテリ装着部の上記底面側とは反対側の端子保護位置に位置し、各上記端子の根元から先端に亘る板状の保護手段と、
各上記端子の上記根元を保持し、各上記端子の上記根元側に孔部又は凹部が設けられた端子保持手段と、
直角三角形状を有し、一方の鋭角部分と直角部分との間の一辺を当該一方の鋭角部分と他方の鋭角部分との間の斜辺よりも上記バツテリ装着部の上記奥部側に位置させて上記一方の鋭角部分が各上記端子の上記根元側の回転軸に枢支され、上記他方の鋭角部分と上記直角部分との間の他辺に上記保護手段を保持する保持手段と
を具え、
上記保持手段は、上記バツテリ装着部に対し上記バツテリケースが装着されるまでの間、上記保護手段を上記端子保護位置に位置させ、上記バツテリケースが上記バツテリ装着部の上記底面に沿つて上記奥部まで摺動することで各上記端子が上記バツテリケースの対応する孔状の受け端子に差し込まれると、当該バツテリケースに押されて上記奥部側に回転して上記保護手段を上記孔部又は凹部内に退避させる
ことを特徴とするバツテリ装着部の端子保護装置。
【発明の詳細な説明】
【０００１】
【発明の属する技術分野】
本発明はバツテリ装着部の端子保護装置に関し、例えばビデオカメラに設けられたバツテリとの接続用の端子を保護する端子保護部に適用して好適なものである。
【０００２】
【従来の技術】
従来、ビデオカメラとして、バツテリが収納されたケース（以下、これをバツテリケースと呼ぶ）が装填され、当該バツテリケース内のバツテリから供給される電力に基づいて動作するものがある。
【０００３】
この種のビデオカメラにおいては、図６（Ａ）及び（Ｂ）に示すように、筐体ケース１の所定位置にバツテリケース２に応じた溝状の装填部３が設けられ、この装填部３の矢印ａに示す右方向の奥部に端子保護部４が設けられている。
【０００４】
この場合端子保護部４には、バツテリとの接続用としてピン状の正極端子５及び負極端子（図示せず）が設けられており、装填部３にバツテリケース２を装填することによりこれら正極端子５及び負極端子をそれぞれバツテリケース２に設けられた対応する孔状の受け端子６に差し込むようになされている。
【０００５】
これによりこの種のビデオカメラにおいては、このように装填部３にバツテリケース２が装填されると、内部の各種回路とバツテリケース２内のバツテリ（図示せず）とを、正極端子５及び負極端子とそれぞれ対応する受け端子６とを介して電気的に接続し、かくしてバツテリから受け端子６及び正極端子５並びに負極端子を順次介して供給される電力に基づいて各種回路を動作させることができるようになされている。
【０００６】
ここで実際上端子保護部４は、装填部３の底部の一部でなるベース７を有し、当該ベース７上の右側端部に端子保持部８が設けられている。
【０００７】
端子保持部８には、ピン状でなる正極端子５及び負極端子がそれぞれ台座９を介して設けられると共に、ガイドピン１０がその長手方向を左右方向とほぼ並行に設けられている。
【０００８】
これにより端子保持部８は、バツテリケース２の装填時、バツテリケース２がその下面２Ａに設けられた溝部（図示せず）にガイドピン１０を通すようにして右方向に摺動することにより、当該バツテリケース２を位置決めして正極端子５及び負極端子をそれぞれ対応する受け端子６に差し込んで接続することができるようになされている。
【０００９】
また端子保持部８には、正極端子５及び負極端子の長さとほぼ同じ長さの幅を有する長方形状の板状部材をコ字状に屈曲形成してなる端子カバー１１が左右方向にスライド自在に設けられると共に、この端子カバー１１に応じた孔部（図示せず）が穿設されている。
【００１０】
この場合端子カバー１１は、通常、例えばコイルばね（図示せず）によつて左方向に付勢されることにより左方向の所定位置までスライドして正極端子５及び負極端子を覆うように位置し、これにより装填部３にバツテリケース２が装填されるまではこれら正極端子５及び負極端子を外部から衝撃が加えられることを防止して保護することができるようになされている。
【００１１】
また端子カバー１１は、バツテリケース２の装填時、バツテリケース２に押されると、端子保持部８の孔部内までスライドして退避し、これによりバツテリケース２の装填を邪魔せずに正極端子５及び負極端子をこのバツテリケース２の対応する受け端子７に差し込ませることができるようになされている。
【００１２】
【発明が解決しようとする課題】
ところでかかる構成の端子保護部４においては、近年、ビデオカメラの小型化に伴い、当該端子保護部４も小型化するように要望されている。
【００１３】
ところがこの端子保護部４においては、バツテリケース２の取付け時、端子カバー１１をスライドさせて端子保持部８の孔部内に退避させることから、当該端子保持部８を端子カバー１１の幅とほぼ同じ幅（すなわち正極端子５及び負極端子の長さとほぼ同じ幅）を有するように形成する必要があり、このめた容易には小型化し難い問題があつた。
【００１４】
本発明は以上の点を考慮してなされたもので、容易に小型化し得るバツテリ装着部の端子保護装置を提案しようとするものである。
【００１５】
【課題を解決するための手段】
かかる課題を解決するため本発明においては、側面が略矩形形状のバツテリケースが装着されるバツテリ装着部の略Ｌ字形状をなす底面と奥部の面とのうち当該奥部の面に設けられた複数のピン状の端子を保護する、バツテリ装着部の端子保護装置であつて、各端子の近傍でバツテリ装着部の底面側とは反対側の端子保護位置に位置し、各端子の根元から先端に亘る板状の保護手段と、各端子の根元を保持し、各端子の根元側に孔部又は凹部が設けられた端子保持手段と、直角三角形状を有し、一方の鋭角部分と直角部分との間の一辺を当該一方の鋭角部分と他方の鋭角部分との間の斜辺よりもバツテリ装着部の奥部側に位置させて一方の鋭角部分が各端子の根元側の回転軸に枢支され、他方の鋭角部分と直角部分との間の他辺に保護手段を保持する保持手段とを設けるようにし、当該保持手段が、バツテリ装着部に対しバツテリケースが装着されるまでの間、保護手段を端子保護位置に位置させ、バツテリケースがバツテリ装着部の底面に沿つて奥部まで摺動することで各端子がバツテリケースの対応する孔状の受け端子に差し込まれると、当該バツテリケースに押されて奥部側に回転して保護手段を孔部又は凹部内に退避させるようにした。
【００１６】
この結果、バツテリ装着部の端子保護装置は、当該バツテリ装着部に対しバツテリケースが装着されるまでの間、保護手段により各端子に外部から衝撃が加えられることを防止して保護し、バツテリ装着部にバツテリケースが装着されて各端子に当該バツテリケースの対応する受け端子が差し込まれて接続されるときには、保持手段により保護手段を回転させて退避させるためのスペースの幅を当該保持手段に応じて端子の長さよりも狭くすることができる。
【００１７】
【発明の実施の形態】
以下図面について、本発明の一実施の形態を詳述する。
【００１８】
図１（Ａ）及び（Ｂ）において、２０は全体として本発明を適用したビデオカメラを示し、筐体ケース２１の所定位置にバツテリケース２２に応じた溝状の装填部２３が設けられると共に、当該装填部２３の矢印ｂに示す右方向の奥部に端子保護部２４が設けられている。
【００１９】
この場合端子保護部２４には、バツテリ接続用としてピン状の正極端子２５及び負極端子（図示せず）が設けられており、装填部２３にバツテリケース２２を装填することにより正極端子２５及び負極端子をそれぞれバツテリケース２２に設けられた対応する孔状の受け端子２６に差し込むようになされている。
【００２０】
これによりビデオカメラ２０は、このように装填部２３にバツテリケース２２が装填されると、内部の各種回路とバツテリケース２２内のバツテリ（図示せず）とを、正極端子２５及び負極端子と対応する受け端子２６とを介して電気的に接続し、このバツテリから受け端子２６及び正極端子２５並びに負極端子を順次介して供給される電力に基づいて各種回路を動作させることができる。
【００２１】
ここで端子保護部２４は、図２〜図５に示すように、装填部２３の底部２３Ａの一部でなるベース３０を有し、当該ベース３０上の右側端部に端子保持部３１が設けられている。
【００２２】
端子保持部３１の左側面には、正極端子２５及び負極端子３２がそれぞれ台座３３及び３４を介して設けられると共に、ガイドピン３５がその長手方向を左右方向とほぼ並行にして設けられており、これによりバツテリケース２２の装填時、バツテリケース２２がその下面２２Ａに設けられた溝部（図示せず）にガイドピン３５を通して右方向に摺動すると、当該バツテリケース２２を位置決めして正極端子２５及び負極端子３２をそれぞれ対応する受け端子２６に差し込んで接続することができるようになされている。
【００２３】
また端子保持部３１の左側面には、板状の保護部３８を直角三角形状の第１及び第２の保持部３９Ａ及び３９Ｂによつて保持してなる端子カバー４０がその第１及び第２の保持部３９Ａ及び３９Ｂの一方の鋭角部分を中心にして矢印ｃに示す方向（以下、これを一方向と呼ぶ）及びこれとは逆の方向（以下、これを他方向と呼ぶ）に回転自在に保持されると共に、当該端子カバー４０に応じた孔部３１Ａが穿設されている。
【００２４】
この場合端子カバー４０は、保護部３８の下面３８Ａに第１及び第２の保持部３９Ａ及び３９Ｂを避けるようにストツパ４２Ａ及び４２Ｂが設けられ、第１及び第２の保持部３９Ａ及び３９Ｂと保護部３８とストツパ４２Ａ及び４２Ｂとがプラスチツクによつて一体成形されてなる。
【００２５】
そして端子カバー４０は、通常、例えばコイルばね（図示せず）によつて一方向に付勢されることにより第１及び第２の保持部３９Ａ及び３９Ｂの一方の鋭角部分を中心にしてこの一方向に回転してストツパ４２Ａ及び４２Ｂをそれぞれ対応する正極端子２５及び負極端子３２の根元の部分に押し付け、保護部３８をこれら正極端子２５及び負極端子３２の上方近傍の所定位置（以下、これを端子保護位置と呼ぶ）に位置させる。
【００２６】
これにより端子カバー４０は、装填部２３にバツテリケース２２が装填されるまでは、保護部３８により正極端子２５及び負極端子３２を外部からの衝撃が加えられることを防止して保護することができるようになされている。
【００２７】
また端子カバー４０は、バツテリケース２２の装填時、バツテリケース２２に押されると、これに応じて第１及び第２の保持部３９Ａ及び３９Ｂの一方の鋭角部分を中心にして他方向に回転して端子保持部３１の孔部３１Ａ内に退避し、これによりバツテリケース２２の装填を邪魔せずに正極端子２５及び負極端子３２をこのバツテリケース２２の対応する受け端子２６に差し込ませることができるようになされている。
【００２８】
因みに端子保護部２４のベース３０上には、通信用端子４６（図２）が設けられており、装填部２３にバツテリケース２２が装填されると、通信用端子４６をこのバツテリケース２２に設けられた対応する通信用端子（図示せず）に電気的に接続し、これによりビデオカメラ２０は、内部の所定の回路がこの通信用端子４６を介してバツテリと通信することができ、かくしてこのバツテリの残量等をこの通信用端子４６を介して検出することができるようになされている。
【００２９】
ここで実際上端子カバー４０（図４及び図５）は、第１及び第２の保持部３９Ａ及び３９Ｂの他方の鋭角部分の角度θが例えば45度程度に選定されると共に、この鋭角部分につながる上端部の一辺が従来の端子保護部４（図６（Ａ）及び（Ｂ））の端子カバー１１（図６（Ａ）及び（Ｂ））の幅とほぼ同じ長さに選定されている。
【００３０】
そして端子カバー４０は、バツテリケース２２の装填時、このバツテリケース２２に押されると、第１及び第２の保持部３９Ａ及び３９Ｂの斜辺を端子保持部３１の左側面とほぼ並行にし、かつ第１及び第２の保持部３９Ａ及び３９Ｂの直角部分（頂点）からこの斜辺までの垂線（以下、これを単に垂線と呼ぶ）を左右方向とほぼ並行にして、当該端子保持部３１の孔部３１Ａ内に退避する。
【００３１】
従つて端子保護部２４においては、端子保持部３１が少なくとも垂線の長さとほぼ同じ長さの幅を有すれば当該端子保持部３１の孔部３１Ａ内に端子カバー４０を退避させることができ、この場合第１及び第２の保持部３９Ａ及び３９Ｂの垂線が上端部の一辺の長さ（すなわち従来の端子カバー１１の幅）の 2/3程度になることにより、当該端子保持部３１の幅を従来の端子保持部４の幅の 2/3程度まで狭くし得るようになされている。
【００３２】
なおこの実施の形態の場合、端子カバー４０は、第１及び第２の保持部３９Ａ及び３９Ｂの他方の鋭角部分が保護部３８の左端部から左側に突出するようになされており、バツテリケース２２の装填時、このバツテリケース２２に第１及び第２の保持部３９Ａ及び３９Ｂの他方の鋭角部分の２点で接触する。
【００３３】
従つて端子カバー４０は、バツテリケース２２との接触抵抗を比較的低減させることができ、かくしてバツテリケース２２の装填時に他方向に容易に回転することができるようになされている。
【００３４】
以上の構成において、このビデオカメラ２０の端子保護部２４では、通常、コイルばねによつて付勢されることにより端子カバー４０を一方向に回転させて保護部３８を正極端子２５及び負極端子３２の上方近傍の端子保護位置に位置させ、これら正極端子２５及び負極端子３２を外部から衝撃が加えられることを防止して保護する。
【００３５】
また端子保護部２４では、バツテリケース２２の装填時、装填部２３に装填されるバツテリケース２２によつて端子カバー４０が押されると、これに応じてこの端子カバー４０を他方向に回転させ、第１及び第２の保持部３９Ａ及び３９Ｂの上端部の一辺を端子保持部３１の左側面とほぼ並行にし、かつ垂線を左右方向とほぼ水平にして当該端子保持部３１の孔部３１Ａ内に退避させる。
【００３６】
従つて端子保護部２４では、端子カバー４０の第１及び第２の保持部３９Ａ及び３９Ｂの垂線の長さとほぼ同じ長さの幅を有するスペースがあれば当該端子カバー４０を退避させることができることから、端子カバー４０を退避させるためのスペースの幅を、従来の端子カバー１１を退避させるためのスペースの幅に比べて狭くすることができ、かくして端子カバー４０を退避させる孔部３１Ａが設けられた端子保持部３１の厚みを従来の端子保持部６の厚みよりも薄くすることができる。
【００３７】
以上の構成によれば、保護部３８を直角三角形状の第１及び第２の保持部３９Ａ及び３９Ｂによつて保持してなる端子カバー４０を、バツテリケース２２の装填時、その第１及び第２の保持部３９Ａ及び３９Ｂの一方の鋭角部分を中心にして他方向に回転させるようにして当該第１及び第２の保持部３９Ａ及び３９Ｂの上端部の一辺を端子保持部３１の左側面とほぼ並行にし、かつ垂線を左右方向とほぼ水平にしてこの端子保持部３１の孔部３１Ａ内に退避させるようにしたことにより、端子カバー４０を退避させるためのスペースの幅を、従来の端子カバー１１の幅よりも狭い第１及び第２の保持部３９Ａ及び３９Ｂの垂線の長さとほぼ同等にすることができることから、端子カバー４０を退避させる孔部３１Ａが設けられた端子保持部３１の厚みを従来の端子保持部６の厚みよりも薄くすることができ、かくして容易に小型化し得る端子保護装置を実現することができる。
【００３８】
なお上述の実施の形態においては、端子カバー４０の第１及び第２の保持部３９Ａ及び３９Ｂの他方の鋭角部分の角度を45度程度に選定するようにした場合について述べたが、本発明はこれに限らず、第１及び第２の保持部３９Ａ及び３９Ｂの垂線の長さを上端部の一辺の長さ（すなわち正極端子２５及び負極端子３２の長さ）よりも短くすることができれば、他方の鋭角部分の角度を45度程度よりも大きい又は小さいこの他種々の角度に選定しても良く、この場合でも端子カバー４０を退避させるためのスペースの幅を従来の端子カバー１１（図６（Ａ）及び（Ｂ））を退避させるためのスペースの幅に比べて狭くすることができ、かくして端子保持部３１の幅を従来の端子保持部６（図６（Ａ）及び（Ｂ））の幅よりも狭くすることができる。
【００３９】
また上述の実施の形態においては、端子カバー４０をプラスチツクによつて一体成形するようにした場合について述べたが、本発明はこれに限らず、正極端子２５及び負極端子３２を外部の衝撃から保護することができれば、端子カバー４０をこの他種々の材質によつて一体成形又は、保護部３８、第１及び第２の保持部３９Ａ及び３９Ｂ、ストツパ４２Ａ及び４２Ｂを別々に形成するようにしても良い。
【００４０】
さらに上述の実施の形態においては、端子カバー４０の保護部３８の下面にストツパ４２Ａ及び４２Ｂを設け、通常、このストツパ４２Ａ及び４２Ｂを対応する正極端子２５及び負極端子３２の根元の部分に押し付けるようにして保護部３８を端子保護位置に位置させるようにした場合について述べたが、本発明はこれに限らず、端子カバー４０の保護部３８の下面右端部に棒状でなるストツパの一端を取り付け、通常、この棒状でなるストツパの他端をベース３０に押し付けるようにして保護部３８を端子保護位置に位置させるようにしても良い。
【００４１】
さらに上述の実施の形態においては、端子保持部３１に孔部３１Ａを設け、当該孔部３１Ａ内に端子カバー４０を退避させるようにした場合について述べたが、本発明はこれに限らず、端子保持部３１の幅を従来の端子保持部６（図６（Ａ）及び（Ｂ））の幅よりも狭くすることができれば、当該端子保持部３１に凹部を設け、この凹部内に端子カバー４０を退避させるようにしても良い。
【００４２】
さらに上述の実施の形態においては、本発明をビデオカメラ２０に設けられた端子保護部２４に適用するようにした場合について述べたが、本発明はこれに限らず、端子が設けられ、当該端子を保護する必要があるものであれば、携帯型テープレコーダや、携帯型コンパクトデイスクプレイヤ等のようにこの他種々の装置に設けられた端子保護装置に適用するようにしても良い。
【００４３】
さらに上述の実施の形態においては、１又は複数の端子としてピン状の正極端子２５及び負極端子３２を適用するようにした場合について述べたが、本発明はこれに限らず、保護する必要があるものであれば、この他種々の端子を適用するようにしても良い。
【００４４】
さらに上述の実施の形態においては、各端子の根元から先端に亘つて近傍に位置し、当該各端子を保護する保護手段として、板状の保護部３８を適用するようにした場合について述べたが、本発明はこれに限らず、各端子の根元から先端に亘つて近傍に位置し、当該各端子を保護することができれば、格子状や、梯子状等のように、この他種々の形状の保護手段を適用するようにしても良い。
【００４５】
さらに上述の実施の形態においては、保護手段を任意の回転軸を中心にして回転自在に保持する保持手段として、直角三角形状の第１及び第２の保持部３９Ａ及び３９Ｂを適用するようにした場合について述べたが、本発明はこれに限らず、保護手段を任意の回転軸を中心にして回転自在に保持し、この際に保護手段の端子の先端に対応する一端と、回転軸とを結ぶ直線に並行で、かつ保護手段の端子の根元に対応する他端からの垂線の長さが端子の長さよりも短い所定位置の直線から端子の先端側に突出しないように保護手段を保持することができれば、保持部３８の右側端部を回転自在に保持する回転軸や、当該保持部３８を任意の回転軸を中心にして回転自在に保持するＬ字状の保持手段等のように、この他種々の保持手段を適用するようにしても良い。
【００４６】
さらに上述の実施の形態においては、各端子を保持し、保持手段に応じた孔部又は凹部が設けられた端子保持手段として、端子保持部３１と台座３５及び３６とを適用するようにした場合について述べたが、本発明はこれに限らず、この他種々の端子保持手段を適用するようにしても良い。
【００４７】
【発明の効果】
上述のように本発明によれば、側面が略矩形形状のバツテリケースが装着されるバツテリ装着部の略Ｌ字形状をなす底面と奥部の面とのうち当該奥部の面に設けられた複数のピン状の端子を保護する、バツテリ装着部の端子保護装置であつて、各端子の近傍でバツテリ装着部の底面側とは反対側の端子保護位置に位置し、各端子の根元から先端に亘る板状の保護手段と、各端子の根元を保持し、各端子の根元側に孔部又は凹部が設けられた端子保持手段と、直角三角形状を有し、一方の鋭角部分と直角部分との間の一辺を当該一方の鋭角部分と他方の鋭角部分との間の斜辺よりもバツテリ装着部の奥部側に位置させて一方の鋭角部分が各端子の根元側の回転軸に枢支され、他方の鋭角部分と直角部分との間の他辺に保護手段を保持する保持手段とを設けるようにし、当該保持手段が、バツテリ装着部に対しバツテリケースが装着されるまでの間、保護手段を端子保護位置に位置させ、バツテリケースがバツテリ装着部の底面に沿つて奥部まで摺動することで各端子がバツテリケースの対応する孔状の受け端子に差し込まれると、当該バツテリケースに押されて奥部側に回転して保護手段を孔部又は凹部内に退避させるようにしたことにより、バツテリ装着部に対しバツテリケースが装着されるまでの間、保護手段により各端子に外部から衝撃が加えられることを防止して保護し、バツテリ装着部にバツテリケースが装着されて各端子に当該バツテリケースの対応する受け端子が差し込まれて接続されるときには、保持手段により保護手段を回転させて退避させるためのスペースの幅を当該保持手段に応じて端子の長さよりも狭くすることができ、かくして容易に小型化し得るバツテリ装着部の端子保護装置を実現することができる。
【図面の簡単な説明】
【図１】本発明によるビデオカメラの構成の一実施の形態を示す略線的側面図である。
【図２】端子保護部の構成を示す略線的上面図である。
【図３】端子保護部の構成を示す略線的正面図である。
【図４】端子カバーによる正極端子及び負極端子の保護の説明に供する図２のＡ−Ａ’線をとつて示す略線的断面図である。
【図５】端子カバーの退避の説明に供する図２のＡ−Ａ’線をとつて示す略線的断面図である。
【図６】従来のビデオカメラの構成を示す略線的側面図である。
【符号の説明】
２０……ビデオカメラ、２２……バツテリケース、２４……端子保護部、２５……正極端子、３１……端子保持部、３１Ａ……孔部、３２……負極端子、３３、３４……台座、３８……保護部、３９Ａ……第１の保持部、３９Ｂ……第２の保持部、４０……端子カバー。
【図１】
0003894394.tif 000002
【図２】
0003894394.tif 000003
【図３】
0003894394.tif 000004
【図４】
0003894394.tif 000005
【図５】
0003894394.tif 000006
【図６】
0003894394.tif 000007